(57)【要約】【課題】透かしデータを付加した印刷においても、印刷ドキュメントの可読性を低下させることのない印刷システムを提供する。【解決手段】プリンタドライバ４は、印刷ドキュメント１０に透かしデータを付加して印刷するか印刷しないかの指示と透かしデータの印刷条件とをユーザーが設定できる印刷条件設定手段１２と、設定された印刷条件に応じて透かしデータを生成するデータ生成手段１４と、透かしデータをプリンタ記述言語データ１６に変換しプリンタ２に送信する変換手段１１とを有し、プリンタ２は、プリンタドライバ４から送られてきたプリンタ記述言語データ１６に透かしデータが付加された場合には、印刷条件に応じて透かしデータのラスターデータ１９と印刷データのラスターデータ１９を生成し、２つのラスターデータを重ね合わせて印刷を行う印刷処理手段２３を有する印刷システム。【選択図】図２
2007286988.tif 000002
【特許請求の範囲】
【請求項１】
アプリケーションソフトによって作成された印刷ドキュメントを受け取りプリンタ記述言語データに変換するプリンタドライバと、該プリンタドライバで変換されたプリンタ記述言語を受け取り、印刷処理を行うプリンタとを有する印刷システムであって、
前記プリンタドライバは、印刷ドキュメントに透かしデータを付加して印刷するか否かの指示と更に前記透かしデータを付加して印刷する場合には透かしデータの印刷条件とをユーザーが設定できる印刷条件設定手段と、該印刷条件設定手段で透かしデータを付加して印刷する指示がなされた場合は、設定された印刷条件に応じて前記透かしデータを生成するデータ生成手段と、印刷ドキュメントと前記データ生成手段で生成された透かしデータをプリンタ記述言語データに変換しプリンタに送信する変換手段と、を有し、
プリンタは、前記プリンタドライバから送られてきたプリンタ記述言語データに前記透かしデータが付加された場合には、印刷条件に応じて透かしデータのラスターデータと印刷データのラスターデータを生成し、２つのラスターデータを重ね合わせて印刷を行う印刷処理手段を有することを特徴とする印刷システム。
【請求項２】
請求項１に記載の印刷システムであって、
前記プリンタドライバの印刷条件設定手段は、透かしデータを印刷ドキュメントの前面に印刷するか、あるいは印刷ドキュメントの背面に印刷するかを印刷条件として設定できることを特徴とする印刷システム。
【請求項３】
請求項２に記載の印刷システムであって、
プリンタは、印刷条件で透かしデータを印刷ドキュメントの前面に印刷する指示がなされた場合には、生成した透かしデータのラスターデータにおいて印刷ドットが発生している画素から予め指定した距離の範囲内にある周辺画素位置に、印刷データのドットを発生させないように印刷データのラスターデータを作成し、印刷データのラスターデータ上に透かしデータのラスターデータを重ね合わせて印刷し、一方、印刷条件で透かしデータを印刷ドキュメントの背面に印刷する指示がなされた場合には、生成した印刷データのラスターデータにおいて印刷ドットが発生している画素から予め指定した距離の範囲内にある周辺画素位置に、透かしデータのドットを発生させないように透かしデータのラスターデータを作成し、透かしデータのラスターデータ上に印刷データのラスターデータを重ね合わせして印刷することを特徴とする印刷システム。
【請求項４】
請求項３に記載の印刷システムであって、
透かしデータが、文字列かあるいは画像ファイルのどちらか一方であることを特徴とする印刷システム。
【発明の詳細な説明】
【技術分野】
【０００１】
本発明は、透かしデータ印刷における印刷条件の設定と印刷機能を備えた印刷システムに関するものである。
【背景技術】
【０００２】
アプリケーションソフトで作成した印刷ドキュメントに、「社外秘」、「ドラフト」、「コピー」などの透かし文字を付加して印刷することは、従来からプリンタドライバに透かし印刷機能を持たせて実現してきた。
例えば、プリンタドライバの設定画面で、透かし文字のフォント種類、文字色、印刷文字列、印刷位置、印刷角度などをユーザーに選択させ、その印刷条件に応じて透かし印刷データを印刷ドキュメントに付加してプリンタに送信することで、印刷ドキュメント上に透かし印刷を重ね合わせて印刷することが可能である。また、透かしデータとして文字のみならず画像データを付加することも実現されている。また、一つの印刷ドキュメント内の任意のページに任意の透かしデータを付加して印刷できる制御方式が報告されている（例えば、特許文献１参照）。
【特許文献１】特開２００１−３２８３２５公報
【発明の開示】
【発明が解決しようとする課題】
【０００３】
しかしながら、上記従来の方式では、印刷ドキュメント内の印刷要素と透かしデータの印刷要素で同じ色指定がされた場合、それらの要素の重なった部分ではそれぞれの要素の境目が判別し難く、その結果印刷ドキュメントの可読性が低下する問題が発生している。
本発明の目的は、透かしデータを付加した印刷においても、印刷ドキュメントの可読性を低下させることのない印刷システムを提供することである。
【課題を解決するための手段】
【０００４】
上記目的を達成するために、請求項１記載の発明は、アプリケーションソフトによって作成された印刷ドキュメントを受け取りプリンタ記述言語データに変換するプリンタドライバと、該プリンタドライバで変換されたプリンタ記述言語を受け取り、印刷処理を行うプリンタとを有する印刷システムであって、前記プリンタドライバは、印刷ドキュメントに透かしデータを付加して印刷するか否かの指示と更に前記透かしデータを付加して印刷する場合には透かしデータの印刷条件とをユーザーが設定できる印刷条件設定手段と、該印刷条件設定手段で透かしデータを付加して印刷する指示がなされた場合は、設定された印刷条件に応じて前記透かしデータを生成するデータ生成手段と、印刷ドキュメントと前記データ生成手段で生成された透かしデータをプリンタ記述言語データに変換しプリンタに送信する変換手段と、を有し、プリンタは、前記プリンタドライバから送られてきたプリンタ記述言語データに前記透かしデータが付加された場合には、印刷条件に応じて透かしデータのラスターデータと印刷データのラスターデータを生成し、２つのラスターデータを重ね合わせて印刷を行う印刷処理手段を有することを特徴とする。
【０００５】
請求項２記載の発明は、請求項１に記載する印刷システムであって、プリンタドライバの印刷条件設定手段は、透かしデータを印刷ドキュメントの前面に印刷するか、あるいは印刷ドキュメントの背面に印刷するかを印刷条件として設定できる印刷システムを主要な特徴とする。
【０００６】
請求項３記載の発明は、請求項２に記載する印刷システムであって、プリンタは、印刷条件で透かしデータを印刷ドキュメントの前面に印刷する指示がなされた場合には、生成した透かしデータのラスターデータにおいて印刷ドットが発生している画素から予め指定した距離の範囲内にある周辺画素位置に、印刷データのドットを発生させないように印刷データのラスターデータを作成し、印刷データのラスターデータ上に透かしデータのラスターデータを重ね合わせして印刷し、一方、印刷条件で透かしデータを印刷ドキュメントの背面に印刷する指示がなされた場合には、生成した印刷データのラスターデータにおいて印刷ドットが発生している画素から予め指定した距離の範囲内にある周辺画素位置に、透かしデータのドットを発生させないように透かしデータのラスターデータを作成し、透かしデータのラスターデータ上に印刷データのラスターデータを重ね合わせして印刷する印刷システムを主要な特徴とする。
【０００７】
請求項４記載の発明は、請求項３に記載する印刷システムであって、透かしデータが、文字列かあるいは画像ファイルのどちらか一方である印刷システムを主要な特徴とする。
【発明の効果】
【０００８】
本発明は、アプリケーションソフトによって作成された印刷ドキュメントを受け取りプリンタ記述言語データに変換するプリンタドライバと、プリンタドライバで変換されたプリンタ記述言語を受け取り、印刷処理を行うプリンタとを有する印刷システムであって、プリンタドライバは、印刷ドキュメントに透かしデータを付加して印刷するか印刷しないかの指示とさらに透かしデータを付加して印刷する場合には透かしデータの印刷条件とをユーザーが設定できる印刷条件設定手段と、印刷条件設定手段で透かしデータを付加して印刷する指示がなされた場合は、設定された印刷条件に応じて透かしデータを生成するデータ生成手段と、印刷ドキュメントとデータ生成手段で生成された透かしデータをプリンタ記述言語データに変換しプリンタに送信する変換手段とを有し、プリンタは、プリンタドライバから送られてきたプリンタ記述言語データに透かしデータが付加された場合には、印刷条件に応じて透かしデータのラスターデータと印刷データのラスターデータを生成し、２つのラスターデータを重ね合わせて印刷を行う印刷処理手段を有するので、透かしデータを付加した印刷においても、印刷ドキュメントの可読性を低下させることのない印刷システムを提供することができる。
【発明を実施するための最良の形態】
【０００９】
本発明の印刷システムの実施形態について説明する。なお各図面に共通する要素には同一の符号を付す。
図１は、本発明の実施の形態に係る印刷システムの概略構成を示すブロック図である。この印刷システムは、ホストコンピュータ１と、それによって制御されるプリンタ２から主に構成されている。そしてホストコンピュータ１は、アプリケーションソフト３とプリンタドライバ４などを備えている。プリンタ２は、コントローラ５とプリンタエンジン６を備えている。
【００１０】
次に図２を使い本発明のデータの流れを説明する。図２は、本発明の印刷システムにおける印刷処理時のデータの流れと機能モジュールを示す図である。
本発明の印刷処理では、ホストコンピュータ１内で動作するアプリケーションソフト３から印刷処理を実行すると、アプリケーションソフト３によって作成された印刷ドキュメント１０が、プリンタドライバ４に送信される。プリンタドライバ４では、透かしデータ作成機能１４において、透かしデータ設定画面１２で設定された透かしデータ印刷条件１３に従い、透かし印刷を行うか行わないかの判断がなされる。
【００１１】
ここで、透かし印刷を行うと判断された場合には、透かしデータ印刷条件１３に従い透かしデータ１５を作成する。そして透かしデータ印刷条件１３と作成した透かしデータ１５をアプリケーションソフト３から送られてきた印刷ドキュメント１０に付加する。さらにＰＤＬ変換機能１１でプリンタ記述言語データ１６に変換し、最後にプリンタ２のコントローラ５に送信する。
【００１２】
次に、プリンタ２のコントローラ５では、プリンタドライバ４から送られてきたプリンタ記述言語データ１６をＲＩＰ機能１７に送信し、印刷ドキュメントのラスターデータ１８と透かしデータのラスターデータ１９に変換すると同時に、透かしデータ印刷条件２０を取り出す。
結合処理機能２１では、印刷ドキュメントのラスターデータ１８と透かしデータのラスターデータ１９を、透かしデータ印刷条件２０に従い結合して最終印刷イメージデータ２２を作成する。最後に作成した最終印刷イメージデータ２２をプリンタ２のプリンタエンジン６に送信する。プリンタエンジン６は受信した最終印刷イメージデータ２２を印刷処理機能２３で印刷し、本発明の印刷処理が終了する。
【００１３】
次に、図２の透かしデータ設定画面１２と透かしデータ印刷条件１３について説明する。図３は本発明の詳細な透かしデータ設定画面１２を示す図である。
まず、［透かし文字］ラジオボタン３１と［透かし画像］ラジオボタン３２で、透かし文字を印刷するか、透かし画像を印刷するかの設定を行う。［透かし文字］ラジオボタン３１が選択された場合には、文字列が予め登録された［透かし文字］リストボックス３３から透かし文字列を選択する。ここで［なし］を選択した場合には透かし印刷は行われない。
また［テキスト］エディットボックス３４では任意の透かし文字列が指定可能である。［フォント］コンポボックス３５では透かし文字列用のフォントの指定を、［スタイル］コンポボックス３６では透かし文字列用フォントのスタイル指定を、［サイズ］エディットボックス３７では透かし文字のフォントサイズ指定を、［角度］エディットボックス３８では透かし文字の印刷角度指定を、［階調］エディットボックス３９では透かし文字の印刷濃度指定を行う。
【００１４】
一方、［透かし画像］ラジオボタン３２を選択した場合には［透かし画像］エディットボック４０において透かし画像として使用する画像ファイルを指定することが可能である。
［中央自動配置］ラジオボタン４１と［中央からの相対位置］ラジオボタン４２、及び［ｘ］エディットボックス４３と［ｙ］エディットボックス４４では、透かし文字あるいは透かし画像の印刷位置を指定する。
さらに、［境界幅］エディットボックス４５は、印刷ドキュメントと透かし文字、あるいは印刷ドキュメントと透かし画像の境目を容易に判別できるように白抜き領域を設けるための設定項目である。境界幅に０を指定した場合には、印刷ドキュメントと透かし文字、あるいは印刷ドキュメントと透かし画像の境目に白抜き領域は設けない。
【００１５】
［バックグラウンド］チェックボックス４６は、透かし文字あるいは透かし画像を、印刷ドキュメントの背面に配置するか前面に配置するかの設定項目である。［最初のページのみ］チェックボックス４７は、透かし文字あるいは透かし画像を印刷ドキュメントの先頭ページにのみ印刷するか、あるいはすべてのページに印刷するかを設定する項目である。［透かしデータ］プレビュー４８は、透かしデータ設定画面１２で設定した内容で印刷される透かしデータの印刷イメージを表している。
【００１６】
図４は、図３の透かしデータ設定画面１２で設定可能な印刷条件を示している。これらの印刷条件うち、［境界幅］、［バックグラウンド］、［最初のページのみ］項目は、前述した図２の透かしデータ印刷条件１３として印刷ドキュメント１０に付加され、コントローラ５における結合処理機能２１の結合条件として用いられる。それ以外の印刷条件は、プリンタドライバ４の透かしデータ作成機能１４において、透かしデータを作成する際の作成条件として用いられる。
【００１７】
次に、本発明の中心機能である図２の結合処理機能２１について、図５から図１１を使い説明する。
図５は、図２のＲＩＰ機能１７によって作成された印刷ドキュメントのラスターデータ１８と透かしデータのラスターデータ１９を図２の結合処理機能２１で重ね合わせする際の、前面に配置するラスターデータ２５を表している。一方、図６は図２の結合処理機能２１で重ね合わせする際の、背面に配置するラスターデータ２６を表している。
【００１８】
印刷ドキュメントのラスターデータ１８と透かしデータのラスターデータ１９のうち、どちらを前面に配置するかは、前述した図４の印刷条件［バックグラウンド］で決定される。印刷条件［バックグラウンド］がオンの場合は、印刷ドキュメントのラスターデータ１８を前面に配置し、印刷条件［バックグラウンド］がオフの場合は、透かしデータのラスターデータ１９を前面に配置する。
本実施の形態の図５及び図６では、印刷条件［バックグラウンド］がオフの場合を想定して説明しているが、これに限るものではない。
【００１９】
図７は、図５の前面に配置するラスターデータ２５においてドットが発生している画素から特定範囲内にある周辺画素うち、ドットが発生していない周辺画素を抽出した結果を示している。この結果は、後述する図２の結合処理機能２１での白抜き領域を決定するための白抜きラスターデータ２７として使用される。ここで特定範囲とは、ドットが発生している画素を中心に前述した図４の印刷条件［境界幅］によって指定された境界幅ｈを半径とした円の内側を指している。
【００２０】
図８は、図２の結合処理機能２１によって結合されたラスターデータとしての最終印刷イメージデータ２２を表している。
また、図５から図８のラスターデータは、いずれも主走査方向がｍ画素、副走査方向がｎ画素の大きさで構成され、主走査方向がｘ番目、副走査方向がｙ番目の画素の濃度値を、前面に配置するラスターデータ２５ではＡ（ｘ，ｙ）、背面に配置するラスターデータ２６ではＢ（ｘ，ｙ）、白抜きラスターデータ２７ではＣ（ｘ，ｙ）、最終印刷イメージデータ２２ではＤ（ｘ，ｙ）で表現している。
【００２１】
次に、図２の結合処理機能２１を図９〜図１１のフローチャートを使い説明する。
まず図９のステップＳ１００で印刷条件の［境界幅］が何ドットになるかを数式１から算出する。
ｈ＝［境界幅］／２５．４×解像度      （数式１）
数式１の計算では、印刷条件の［境界幅］がミリ単位で指定され、プリンタ２の解像度がＤＰＩ（１インチあたりのドット数）で与えられた場合の算出式である。なお、以降の説明では、算出した［境界幅］のドット換算をｈで表すものとする。
【００２２】
次に、印刷条件の［バックグラウンド］がオンかオフかをステップＳ１１０で判断し、オンの場合には印刷ドキュメント１０の背面に透かしデータを配置するため、ステップＳ１２０で印刷ドキュメント１０のラスターデータを前面に配置するラスターデータＡ（ｘ，ｙ）に、また、透かしデータのラスターデータを背面に配置するラスターデータＢ（ｘ，ｙ）にそれぞれ代入する。
一方、［バックグラウンド］がオフの場合には印刷ドキュメント１０の前面に透かしデータを配置するため、ステップＳ１３０で透かしデータのラスターデータを前面に配置するラスターデータＡ（ｘ，ｙ）に、また、印刷ドキュメントのラスターデータを背面に配置するラスターデータＢ（ｘ，ｙ）それぞれに代入する。
【００２３】
次に、後述する前面に配置するラスターデータの周辺画素探索処理をステップＳ１４０で、同じく後述する重ね合わせ処理をステップＳ１５０で実行する。最後に、印刷条件の［最初のページのみ］がオンの場合、あるいは、全てのページの結合が完了した場合には結合処理を終了する。
一方、印刷条件の［最初のページのみ］がオフで、かつ、全てのページの処理が完了していな場合には、次のページの結合処理に移行する。以上の処理を行うことで、最終印刷イメージＤ（ｘ，ｙ）が作成される。
【００２４】
次に、ステップＳ１４０の前面に配置するラスターデータの周辺画素探索処理に関して、図１０のフローチャートを用いて説明する。この処理は、前面に配置するラスターデータＡ（ｘ，ｙ）においてドットが発生している画素を探索し、その画素から印刷条件の［境界幅］から算出したドット換算ｈの距離内にある周辺画素を探し出し、さらに、探し出したこれらの周辺画素のうち、ドットが発生していない画素のみを選別するのが目的である。
【００２５】
まず、前面に配置するラスターデータＡ（ｘ，ｙ）の全ての画素を順次走査するため、ステップＳ２００では副走査方向のループ処理を、ステップＳ２１０では主走査方向のループ処理を実行している。
次に、前面に配置するラスターデータＡ（ｘ，ｙ）の現在走査している画素にドットが発生しているかいないかをＡ（ｘ，ｙ）が０か否かで判断し（ステップＳ２２０）、ドットが発生していない場合には、つまりＡ（ｘ，ｙ）が０の場合には、次の画素に処理を移行する。
一方、ドットが発生している場合には、現在の画素Ａ（ｘ，ｙ）を中心に主走査方向と副走査方向に対して±ｈドットの範囲で再度走査処理を実行する（ステップＳ２３０とステップＳ２４０）。そして、再度走査した周辺画素Ａ（ｘ＋Ｓ，ｙ＋ｔ）にドットが発生しているかいないかをステップＳ２５０で判断する。
【００２６】
周辺画素Ａ（ｘ＋Ｓ，ｙ＋ｔ）にドットが発生している場合には、つまりＡ（ｘ＋Ｓ，ｙ＋ｔ）が０でない場合には次の周辺画素へ処理を移行し、ドットが発生していない場合には、その周辺画素Ａ（ｘ＋Ｓ，ｙ＋ｔ）と中心画素Ａ（ｘ，ｙ）の距離が印刷条件の［境界幅］から算出したドット換算ｈ以下であるか否かをステップＳ２６０で判断する。
周辺画素Ａ（ｘ＋Ｓ，ｙ＋ｔ）と中心画素Ａ（ｘ，ｙ）の距離がｈドット以下である場合は、白抜きラスターデータＣ（ｘ＋Ｓ，ｙ＋ｔ）に１を代入する。そしてこれらの処理を全画素に実行することで、白抜きにするための周辺画素探索が完了する。図７の白抜きラスターデータ２７は、図５の前面に配置するラスターデータ２５の輪郭部分からｈドットの距離以内にある周辺画素が抽出された結果を示している。
【００２７】
最後に、図９のステップＳ１５０の重ね合わせ処理について、図１１のフローチャートで説明する。この処理は、図５の前面に配置するラスターデータ２５と図６の背面に配置するラスターデータ２６と、前述した前面に配置するラスターデータの周辺画素探索処理で抽出した白抜きラスターデータ２７を結合し、最終印刷イメージデータ２２を生成する処理である。
まず、全ての画素に対してステップＳ３２０からステップＳ３６０までの処理を行うために、ステップＳ３００では副走査方向のループ処理を、また、ステップＳ３１０では主走査方向のループ処理をそれぞれ実行している。次に、ステップＳ３２０では、白抜きラスターデータＣ（ｘ，ｙ）を調べ、もし値が１であるなら、その画素は白抜きにすべき画素と判断して最終印刷イメージデータＤ（ｘ，ｙ）に０を代入し、次の画素へ処理を移行する。
【００２８】
一方、ステップＳ３２０で白抜きラスターデータＣ（ｘ，ｙ）が１でない場合は、ステップＳ３３０に処理を移行する。ステップＳ３３０では、前面に配置するラスターデータＡ（ｘ，ｙ）を調べ、Ａ（ｘ，ｙ）が０の場合には、前面に配置するラスターデータはないと判断し、ステップＳ３５０において最終印刷イメージデータＤ（ｘ，ｙ）に背面に配置するラスターデータＢ（ｘ，ｙ）を代入し、次の画素の処理に移行する。
ステップＳ３３０でＡ（ｘ，ｙ）が０でない場合には、ステップＳ３６０において最終印刷イメージデータＤ（ｘ，ｙ）に前面に配置するラスターデータＡ（ｘ，ｙ）を代入し次の画素の処理に移行する。以上の処理を全画素に行うことで、図８に示す最終印刷イメージデータ２２が生成される。
【００２９】
以上、これまで説明してきた印刷システムにより、透かし印刷を実行した場合には、透かしデータと印刷ドキュメントの境目に白抜き領域が設けられ、印刷ドキュメントの可読性の向上が期待できる。
【００３０】
図１２は、本発明との比較するための従来の透かし印刷での印刷結果を示している。また、図１３は、本発明の印刷システムにおいて、透かしデータを印刷ドキュメントの背面に配置した場合の印刷結果を表している。従来法での透かし印刷の印刷結果（図１２）と本発明の印刷システムでの印刷結果（図８及び図１３）とを比較すると、透かしデータと印刷ドキュメントの境目が判別できるため、印刷ドキュメントの可読性が向上しているのは明らかである。
【図面の簡単な説明】
【００３１】
【図１】本発明の実施の形態に係る印刷システムの概略構成を示すブロック図である。
【図２】本発明の実施の形態に係る印刷システムにおける印刷処理時のデータの流れと機能モジュールを示す図である。
【図３】本発明の実施の形態に係る印刷システムにおけるプリンタドライバの印刷条件設定画面を示す図である。
【図４】本発明の実施の形態に係る印刷システムにおける印刷条件一覧表を示す図である。
【図５】本発明の実施の形態に係る印刷システムの前面に配置するラスターデータを示す図である。
【図６】本発明の実施の形態に係る印刷システムの背面に配置するラスターデータを示す図である。
【図７】本発明の実施の形態に係る印刷システムの白抜きラスターデータを示す図である。
【図８】本発明の実施の形態に係る印刷システムの最終印刷イメージデータを示す図である。
【図９】本発明の実施の形態に係る印刷システムにおける結合処理機能のフローチャートである。
【図１０】本発明の実施の形態に係る印刷システムにおける前面に配置するラスターデータの周辺画素探索処理のフローチャートである。
【図１１】本発明の実施の形態に係る印刷システムにおける重ね合わせ処理のフローチャートである。
【図１２】本発明との比較のための従来の透かし印刷での印刷結果を示す図である。
【図１３】本発明の印刷システムにおいて透かしデータを印刷ドキュメントの背面に配置した場合の印刷結果を示す図である。
【符号の説明】
【００３２】
１  ホストコンピュータ
２  プリンタ
３  アプリケーションソフト
４  プリンタドライバ
５  コントローラ
６  プリンタエンジン
１０  印刷ドキュメント
１１  ＰＤＬ変換機能（変換手段）
１２  透かしデータ設定画面（印刷条件設定手段）
１３  透かしデータ印刷条件
１４  透かしデータ作成機能（データ生成手段）
１５  透かしデータ
１６  プリンタ記述言語データ
１７  ＲＩＰ機能
１８  印刷ドキュメントのラスターデータ
１９  透かしデータのラスターデータ
２０  透かしデータ印刷条件
２１  結合処理機能
２２  最終印刷イメージデータ
２３  印刷処理機能（印刷処理手段）
２５  前面に配置するラスターデータ
２６  背面に配置するラスターデータ
２７  白抜きラスターデータ
２８  従来の透かし印刷での印刷結果
２９  透かしデータを印刷ドキュメントの背面に配置した場合の印刷結果
３１  ［透かし文字］ラジオボタン
３２  ［透かし画像］ラジオボタン
３３  ［透かし文字］リストボックス
３４  ［テキスト］エディットボックス
３５  ［フォント］コンポボックス
３６  ［スタイル］コンポボックス
３７  ［サイズ］エディットボックス
３８  ［角度］エディットボックス
３９  ［階調］エディットボックス
４０  ［透かし画像］エディットボックス
４１  ［中央自動配置］ラジオボタン
４２  ［中央からの相対位置］ラジオボタン
４３  ［ｘ］エディットボックス
４４  ［ｙ］エディットボックス
４５  ［境界幅］エディットボックス
４６  ［バックグラウンド］チェックボックス
４７  ［最初のページのみ］チェックボックス
４８  ［透かしデータ］プレビュー
【図１】
2007286988.tif 000003
【図２】
2007286988.tif 000004
【図３】
2007286988.tif 000005
【図４】
2007286988.tif 000006
【図５】
2007286988.tif 000007
【図６】
2007286988.tif 000008
【図７】
2007286988.tif 000009
【図８】
2007286988.tif 000010
【図９】
2007286988.tif 000011
【図１０】
2007286988.tif 000012
【図１１】
2007286988.tif 000013
【図１２】
2007286988.tif 000014
【図１３】
2007286988.tif 000015